(57)【要約】      （修正有）【課題】写真撮影計画に従った正確な表記があらかじめ複数枚実行でき、表示内容を変更するための表記板を差替え可能に構成し、更に雨天時にも影響を受けない、省力的かつ効率的な工事写真撮影作業が可能な全天候型の工事用黒板を提供する。【解決手段】表記板１複数枚が挿入定着されるための複数の溝１１が、それぞれ周縁部２の内側で相対するように設けられていて、さらには周縁部の一方が開閉する構造となっており、その開閉部３から周縁部内側の溝に挿入されている複数枚の表記板の定着位置を差替えることが可能で、必要な表記面の表示を得ることにより、表示内容を容易に変更できる構造とした。【選択図】図２
0003119988.tif 000002
【実用新案登録請求の範囲】
【請求項１】
工事用黒板において、チョークやマーカーなどで、実際に文字や略図などが記入される表記板の素材には、すりガラス状に加工が施された四角形状のプラスチック製平板又は同様に加工が施された同型状の金属製平板が使用され、黒板の外枠部分にあたる四角形状の周縁部には、プラスチック製又は木製あるいは金属製の角材等が使用されており、そこには表記板複数枚が挿入定着されるための複数の溝が、それぞれ同周縁部の内側で相対するように設けられていて、さらには同周縁部の一方が開閉する構造となっており、その開閉部から周縁部内側の溝に挿入されている複数枚の表記板の定着位置を差替えることが可能で、必要な表記面の表示を得ることにより、表示内容を容易に変更できる構造の工事用黒板。
【請求項２】
請求項１の工事用黒板において、上下又は左右に周縁部内側を仕切っていて、その仕切られた周縁部には、上下又は左右に分かれて複数の表記板が、それぞれ挿入定着される構造となった工事用黒板。
【考案の詳細な説明】
【技術分野】
【０００１】本考案は、各種工事現場等において、工事の進捗状況及び工程などを記録する工事写真を撮影する際に、その必需品として利用されてきた工事用黒板に係り、詳しくは工事用黒板記入作業の省力化、延いては工事写真撮影作業の効率的運用を行うために、複数枚の表記板が定着可能で差替え可能な表記面の表示を得て、表示内容を容易に変更できるようにした工事用黒板。
【背景技術】
【０００２】従来の工事用黒板は、通常、監督員などが工事写真撮影の都度、施工現場において文字や略図などの表示内容をチョークで記入し、また、その記入事項を消去して次の表示内容を記入するなど、手書きによる記入と消去を繰り返して使用するものであった。【０００３】また、施工現場においての記入と消去の繰り返し使用を避けるためには、あらかじめ写真撮影計画に従って表示内容を事前に記入した複数枚の工事用黒板を準備し、施工現場まで持参しなければならなかった。
【考案の開示】
【考案が解決しようとする課題】
【０００４】しかしながら、上記の表示手段にあっては、記入と消去の繰り返し使用による表示面の汚れで、文字や略図等の表示内容が不鮮明になることは勿論、書き直しに手間取ることで、その間の作業が中断するなどの弊害も発生し、さらに雨天時には、記入した文字等が流れ、あるいは記入できなくなるなどの不便さもあった。【０００５】また、複数の工事用黒板を施工現場まで持参すると、搬送途中で表示内容が擦れて消えたり、搬送に人手がかかったりして、いずれの場合にも作業上大いに改善する余地があった。【０００６】本考案は、上記課題を解消し、写真撮影計画に従った正確な表記があらかじめ複数枚実行でき、表示内容を変更するための表記板を差替え可能に構成し、更に雨天時にも影響を受けない、省力的かつ効率的な工事写真撮影作業が可能な全天候型の工事用黒板を提供する。
【課題を解決するための手段】
【０００７】本考案は、チョークやマーカーなどで、実際に文字や略図などが記入される表記板の素材には、すりガラス状に加工が施された四角形状のプラスチック製平板又は同様に加工が施された同型状の金属製平板が使用され、黒板の外枠部分にあたる四角形状の周縁部には、プラスチック製又は木製あるいは金属製の角材等が使用されており、そこには表記板複数枚が挿入定着されるための複数の溝が、それぞれ同周縁部の内側で相対するように設けられていて、さらには同周縁部の一方が開閉する構造となっており、その開閉部から周縁部内側の溝に挿入されている複数枚の表記板の定着位置を差替えることが可能で、必要な表記面の表示を得ることにより、表示内容を容易に変更できる構造の工事用黒板である。【０００８】更に表記板を上下又は左右に分割し、分割したそれぞれの表記板を挿入定着するための仕切り用周縁部を有し、工事名及び工種を記入した固定表示部分は差替えず、施工名、出来型、略図やそれら寸法などを記入した変動表示部分だけを差替えて表示内容を変更できることを特徴としている。【０００９】また、表記板に記入するための筆記具は、ダーマトグラフ（商標登録）やクレヨン（商標登録）などのワックス系及び耐水マーカーなどの油脂系が表記板となじみがよく、雨天時でも雨に流されることがないのは勿論、表記板が濡れた状態でも容易に記入することができて、全天候型工事用黒板の筆記具として提供される。
【実施例】本考案の一実施例について添付図面を参照して以下説明する。【００１０】図１は、本考案の工事用黒板の（ａ）正面図及び（ｂ）側面図である。同図において、本考案の工事用黒板は、３枚の黒色表記板１と同表記板を定着固定するために３本の溝を設けた黒色周縁部２、表記板の挿入や差替えを行うための開閉部３、黒板を持ったり吊り下げたりするための取っ手４、黒板を起立させるための脚５を有しており、図１は開閉部を閉じた状態、図２は開閉部を開けた状態の（ｃ）正面図及び（ｄ）側面図である。【００１１】表記板１の素材には、黒色アクリル板が使用されていて、その表裏両面はすりガラス状に微細な凹凸加工が施されており、工事名と工種の白色文字及び白色枠線６が印刷されている。【００１２】周縁部２には、再生ポリスチレン樹脂製角材、取っ手４には引き出し用ステンレス製の取っ手具がそれぞれ使用されている。【００１３】表記板には、写真撮影計画に基づいた施工状況や略図又は出来型図及びそれらの寸法などが記入されるが、本考案実施例の工事用黒板は表記板３枚６面を有しており、事前に６種類の施工状況等を記入したり、パソコンを使用して印刷した文字や略図等を事前に表記板に貼付したりすることができ、撮影対象に応じて表記面を変えることで、連続した工事写真撮影に必要な表示が即座に得られる。【００１４】筆記具については、チョークよりも水性マーカーなどを使用すると消えにくく表記板の汚れ防止にもなり、また雨天対策用としてダーマトグラフ（商標登録）やクレヨン（商標登録）などのワックス系筆記具が適当で、耐水マーカーなどの油性ペンも使用でき、これらは晴天時に使用しても全く問題ない。【００１５】消し具については、メラミンフォームが使用されるが、市販のフェルト製イレーザーに油脂を染み込ませたものを代用することもできる。【００１６】図３については、図１〜２の表記板１を上下に２分割したもので、当然に表記板の挿入定着部分である周縁部も同材質の角材９で２分割されており、上部下部共に３枚づつの表記板が挿入されていて、工事名称の異なる複数の工事現場を、１セットの工事用黒板で撮影することも可能にした。
【考案の効果】
【００１７】本考案は、事前に施工状況や進捗状況に応じた出来型や略図及びそれらの寸法などを、必要枚数だけ表記板に記入して工事用黒板にセットしておくと、工事写真を撮影する際に、必要な表記板を表示面に差替え表示するだけで、直ちに連続した工事写真が撮影でき、工事写真撮影作業及び関連作業の省力的かつ効率的な運用に寄与することができる。
【図面の簡単な説明】
【００１８】
【図１】本考案の実施例である工事写真用黒板の表面図（ａ）及び側面図（ｂ）である。
【図２】図１の工事用黒板の開閉部を開けて、表記板３枚を挿入している表面図（ｃ）及び側面図（ｄ）である。
【図３】図１の工事用黒板を、上下２段に分割した工事用黒板の表面図（ｅ）及び側面図（ｆ）である。
【符号の説明】
【００１９】  １  表記板
２  周縁部
３  開閉部
４  取っ手
５  脚
６  罫線
７  上部表記板
８  下部表記板
９  角材
１０  蝶番
１１  挿入定着用溝
【図１】
0003119988.tif 000003
【図２】
0003119988.tif 000004
【図３】
0003119988.tif 000005